(57)【特許請求の範囲】
【請求項１】
（１）（１−１）（１−２）の特徴を有する急結剤流量調整機構と、（２）（２−１）（２−２）（２−３）（２−４）の特徴を有する急結剤の供給装置とからなる急結剤輸送システム。
（１−１）急結剤流量調整機構が、タンク１の下部に接続する急結剤輸送用加圧エア供給管８より供給される加圧エアをバイパスする加圧エアバイパス管１５、加圧エアの流量を調整するバルブ１６と１７、輸送管３に接続する急結剤輸送バルブ１９、及び輸送管３の外部先端に設けられ、加圧エアバイパス管１５が接続する加圧エア合流管２０からなること。
（１−２）バルブ１６と１７を調整して、急結剤輸送用加圧エア供給管８と加圧エアバイパス管１５に供給する加圧エアの総量と、輸送する急結剤の混合比を0.3〜15に調整すること。
（２−１）急結剤が収容されるタンク１をキャンバス２で上下に分割し、キャンバス２の上方にタンク１の内部から外部へ貫通する輸送管３を設け、かつ、輸送管３の吸い込み口とキャンバス２の間隔Ｌが、輸送管３の内径ｄの0.5〜２倍であること。
（２−２）（２−２−１）（２−２−２）（２−２−３）の特徴を有する急結剤供給部を設けること。
（２−２−１）タンク１の上部に、急結剤供給口４を介してフレキシブルコンテナバッグ５より急結剤を供給すること。
（２−２−２）急結剤供給部が、急結剤供給口４、急結剤供給バルブ９、ホッパー１０、及びホッパー１０の上端の急結剤収容口１１からなり、急結剤収容口１１に、急結剤を収納してその下部を締め付け治具１２で緊縛したフレキシブルコンテナバッグ５を接続して、フレキシブルコンテナバッグ５の取付治具１３で固定するものであること。
（２−２−３）加圧エアを導入する急結剤供給用加圧エア供給管１４が、急結剤供給バルブ９と急結剤収容口１１の間に取り付けられるものであり、かつ、急結剤供給用加圧エア供給管１４が、ホッパー１０に圧力50KPa以下の加圧エアを間歇的に供給し、加圧エア供給時は急結剤供給バルブ９を閉とし、加圧エア停止時は急結剤供給バルブ９を開とし、フレキシブルコンテナバッグ５内に収納された急結剤を加圧エアにより流動化させるとともに、フレキシブルコンテナバッグ５を膨張収縮させてタンク１内へ急結剤を供給する急結剤供給用加圧エア供給管であること。
（２−３）加圧エア排出口６と加圧エア排出バルブ７を介してタンク１内の加圧エアを排出する加圧エア排出部を設けること。
（２−４）キャンバス２下のタンク１に急結剤輸送用加圧エア供給管８を接続すること。
【請求項２】
（２）急結剤の供給装置において、急結剤収容口１１の外径がフレキシブルコンテナバッグ５の急結剤取出し部の径より小さいことを特徴とする請求項１に記載の急結剤輸送システム。
【請求項３】
（２）急結剤の供給装置において、フレキシブルコンテナバッグ５が、塩ビ、ＥＶＡ、及びゴムより選ばれた一種又は二種以上の材料で構成されることを特徴とする請求項１又は２に記載の急結剤輸送システム。
【請求項４】
（２−２−２）急結剤供給部が、急結剤供給口４、急結剤供給バルブ９、ホッパー１０、及びホッパー１０の上端の急結剤収容口１１からなり、急結剤収容口１１にフレキシブルコンテナバッグ５の急結剤取出し部を被せ、フレキシブルコンテナバッグ５の取付治具１３により、フレキシブルコンテナバッグ５の取出し部の周縁部を全周にわたり、急結剤収容口１１と気密に固定するものであることを特徴とする請求項１〜３のうちの一項に記載の急結剤輸送システム。
【請求項５】
請求項１〜４のうちの一項に記載の急結剤輸送システムで輸送された急結剤と、セメントコンクリートとを混合し、吹付けることを特徴とする吹付け方法。
【発明の詳細な説明】
【０００１】
【発明の属する技術分野】
本発明は、例えば、トンネル掘削における地山の補強や掘削面の安定化、宅地造成や路線工事における法面の安定化等のために施工する、セメントコンクリートを主成分とする吹付け材料の吹付けに使用される急結剤の供給装置、急結剤の供給方法、及びそれを用いた吹付け方法に関する。
なお、本発明では、セメントペースト、モルタル、及びコンクリートを総称してセメントコンクリートという。
【０００２】
【従来の技術とその課題】
トンネル掘削等において地山の崩落を防ぐ目的でセメントコンクリートの吹付けを行う場合、吹付けるセメントコンクリートを早期に硬化させて強度を発現させるために、吹付けに際し、粉体の急結剤をセメントコンクリートに添加することは良く知られている。
ここで、急結剤の添加量は、吹付けたセメントコンクリートのリバウンド量(跳ね返り量)や付着具合といった現場状況から最適に設定されており、急結剤は、通常、吹付けるセメントコンクリートの供給設備に接続された急結剤供給装置によって供給されるようになっている。
【０００３】
一般に、粉粒体の流動化機構を内蔵する粉粒体加圧輸送タンクに粉粒体を充填し、加圧気体により輸送管内に送り込み圧送を行う装置が知られている(特開昭56−052326号公報)。
この装置は、粉粒体の輸送効率の向上と所用動力の低減化を図ることを目的とし、粉粒体は輸送管内をプラグを形成して輸送されるため、例えば、急結剤とセメントコンクリートを使用する場合は、タンクから輸送管内に送り出された粉粒体である急結剤と主目的物であるセメントコンクリートとの均一混合には適さないという課題があった。
【０００４】
また、急結剤を貯留するタンク部と急結剤の供給量調整機構であるロータリーフィーダー部とを備え、ロータリーフィーダーからの急結剤の定量供給性を改善するため、ローターのポケット部の容積をできるだけ小さくして、ポケット部への充填性や排出性を安定させ、さらには、ローター回転時の脈動を防止しようとする急結剤の供給装置が提案されている(実開昭61−185731号公報)。
しかしながら、このローターは、適宜間隔をもって多数の羽根を植設したものであり、回転数が１分間に10回転以下と遅く、ローターの羽根が急結剤の吐出口と重なった際は急結剤の輸送量が極端に低下するため、その輸送量が常に増減を繰り返し、急結剤はいわば脈動した状態で輸送されるという課題があった。
従って、前記粉粒体の輸送装置の課題は幾分解消されるもののセメントコンクリートへの安定供給が不充分であるという課題は解決するに至っていないのが現状である。
【０００５】
また、ローターは、隣接する羽根と羽根の間が狭く、急結剤の圧送に際し、隣接する羽根と羽根の間の急結剤が完全には排出されず羽根に付着して残ってしまい、急結剤の定量供給性を低下させる原因となっている。
また、このローターの羽根に付着した急結剤は、定期的に取り除く必要があり、分解清掃に専門技術を要し多くの労力を必要とするという課題もあった。
【０００６】
さらに、従来の急結剤供給設備は、紙袋の急結剤が供給されるため、作業者が人力によってタンク上部の供給口に、紙袋を解体して、急結剤を装置に供給する必要があり、作業時の労力が大きいばかりか急結剤が飛散し作業環境を著しく劣化させるという課題があった。
【０００７】
また、急結剤を装置に供給した後は、その紙袋を産業廃棄物として処分する必要があるなどの課題があった。
【０００８】
本発明は、このような従来の急結剤供給装置の課題に鑑みてなされたもので、急結剤の輸送に定量性を与え、良好なセメントコンクリートの吹付けが可能となり、かつ、省力化や作業環境の改善等、ランニングコストを低減できる急結剤の供給装置、急結剤の供給方法、及びそれを用いた吹付け方法を提供しようとするものである。
【０００９】
【課題を解決するための手段】
即ち、本発明は、 （１）（１−１）（１−２）の特徴を有する急結剤流量調整機構と、（２）（２−１）（２−２）（２−３）（２−４）の特徴を有する急結剤の供給装置とからなる急結剤輸送システムであり、
（１−１）急結剤流量調整機構が、タンク１の下部に接続する急結剤輸送用加圧エア供給管８より供給される加圧エアをバイパスする加圧エアバイパス管１５、加圧エアの流量を調整するバルブ１６と１７、輸送管３に接続する急結剤輸送バルブ１９、及び輸送管３の外部先端に設けられ、加圧エアバイパス管１５が接続する加圧エア合流管２０からなること。
（１−２）バルブ１６と１７を調整して、急結剤輸送用加圧エア供給管８と加圧エアバイパス管１５に供給する加圧エアの総量と、輸送する急結剤の混合比を0.3〜15に調整すること。
（２−１）急結剤が収容されるタンク１をキャンバス２で上下に分割し、キャンバス２の上方にタンク１の内部から外部へ貫通する輸送管３を設け、かつ、輸送管３の吸い込み口とキャンバス２の間隔Ｌが、輸送管３の内径ｄの0.5〜２倍であること。
（２−２）（２−２−１）（２−２−２）（２−２−３）の特徴を有する急結剤供給部を設けること。
（２−２−１）タンク１の上部に、急結剤供給口４を介してフレキシブルコンテナバッグ５より急結剤を供給すること。
（２−２−２）急結剤供給部が、急結剤供給口４、急結剤供給バルブ９、ホッパー１０、及びホッパー１０の上端の急結剤収容口１１からなり、急結剤収容口１１に、急結剤を収納してその下部を締め付け治具１２で緊縛したフレキシブルコンテナバッグ５を接続して、フレキシブルコンテナバッグ５の取付治具１３で固定するものであること。
（２−２−３）加圧エアを導入する急結剤供給用加圧エア供給管１４が、急結剤供給バルブ９と急結剤収容口１１の間に取り付けられるものであり、かつ、急結剤供給用加圧エア供給管１４が、ホッパー１０に圧力50KPa以下の加圧エアを間歇的に供給し、加圧エア供給時は急結剤供給バルブ９を閉とし、加圧エア停止時は急結剤供給バルブ９を開とし、フレキシブルコンテナバッグ５内に収納された急結剤を加圧エアにより流動化させるとともに、フレキシブルコンテナバッグ５を膨張収縮させてタンク１内へ急結剤を供給する急結剤供給用加圧エア供給管であること。
（２−３）加圧エア排出口６と加圧エア排出バルブ７を介してタンク１内の加圧エアを排出する加圧エア排出部を設けること。
（２−４）キャンバス２下のタンク１に急結剤輸送用加圧エア供給管８を接続すること。
（２）急結剤の供給装置において、急結剤収容口１１の外径がフレキシブルコンテナバッグ５の急結剤取出し部の径より小さいことを特徴とする該急結剤輸送システムであり、
（２）急結剤の供給装置において、フレキシブルコンテナバッグ５が、塩ビ、ＥＶＡ、及びゴムより選ばれた一種又は二種以上の材料で構成されることを特徴とする該急結剤輸送システムであり、（２−２−２）急結剤供給部が、急結剤供給口４、急結剤供給バルブ９、ホッパー１０、及びホッパー１０の上端の急結剤収容口１１からなり、急結剤収容口１１にフレキシブルコンテナバッグ５の急結剤取出し部を被せ、フレキシブルコンテナバッグ５の取付治具１３により、フレキシブルコンテナバッグ５の取出し部の周縁部を全周にわたり、急結剤収容口１１と気密に固定するものであることを特徴とする該急結剤輸送システムであり、該急結剤輸送システムで輸送された急結剤と、セメントコンクリートとを混合し、吹付けることを特徴とする吹付け方法。
【００１０】
【発明の実施の形態】
以下、本発明の急結剤の供給装置、急結剤の供給方法、それを用いた急結剤輸送システム、及びそれを用いた吹付け方法について、図面に基づき詳細に説明する。
【００１１】
図１は本発明の急結剤の供給装置を用いた急結剤輸送システムの一例を示す説明図であり、図２はフレキシブルコンテナバッグ５の取付治具１３の一例を示す説明図である。
【００１２】
図１において、１はタンク、２はキャンバス、３は輸送管、４は急結剤供給口、５はフレキシブルコンテナバッグ、６は加圧エア排出口、７は加圧エア排出バルブ、８は急結剤輸送用加圧エア供給管、９は急結剤供給バルブ、１０はホッパー、１１は急結剤収容口、１２は締め付け治具、１３は取付治具、１４は急結剤供給用加圧エア供給管、１５は加圧エアバイパス管、１６、１７、及び１８はバルブ、１９は急結剤輸送バルブ、２０は加圧エア合流管、及び２１はバルブである。
【００１３】
本発明は、フレキシブルコンテナバッグ５に収納された急結剤を急結剤供給装置に供給し、加圧エアにより輸送し、セメントコンクリートと合流混合して吹付けなどに使用する急結剤の供給装置、その供給方法、及び急結剤の輸送方法に関するものである。
【００１４】
本発明の急結剤供給装置は、タンク１、急結剤供給部、及び加圧エア排出部等からなるものである。
【００１５】
タンク１は、大きさや材質は特に制限されるものではなく、竪型のものも使用可能であるが、円筒状で横型であるものが急結剤供給口４の位置を低く抑えることができ好ましい。
【００１６】
タンク１内部を上下に分割するキャンバス２は、通常、タンク１の軸方向に長い長方形状とし、輸送管３の急結剤吸い込み部付近を一番低く、吸い込み部より離れるに従い高くなるように、傾斜板を用いて設置することが好ましい。これにより、キャンバス２が傾斜するので、加圧エアがキャンバス２を通過後、流動化された急結剤がキャンバス２の傾きによりキャンバス２上を流れ、吸い込み口側へ移動し、タンク１内の急結剤をほとんど残さず輸送することが可能となる。
キャンバス２の取付け位置は、急結剤が円滑に輸送できれば、特に制限されるものではない。
【００１７】
キャンバス２は通気性のあるものであれば特に制限されるものではないが、テトロンなどの繊維を編み込んだ市販のキャンバスが使用可能である。
キャンバス２は、加圧エアの流速が１m/minのときの圧力損失が100mmAq程度の抵抗のものが使用される。
【００１８】
本発明ではさらに、タンク１内部のキャンバス２の上方から外部へ貫通する輸送管３を設ける。
輸送管３の取付位置は、急結剤の輸送が容易となる面から、キャンバス２の一番低い位置に取り付けることが好ましく、通常は、タンク１の中心とすることが好ましい。
輸送管３としては市販の鋼管等が使用可能であり特に限定されるものではない。
輸送管３の吸い込み口とキャンバス２の間隔Ｌは、輸送管３の内径ｄの0.5〜２倍とすることが好ましい。0.5倍未満では加圧エアが直接輸送管３に流れ込みやすくなり急結剤の輸送が困難となる場合があり、２倍を超えるとタンク１内に滞留する急結剤の量が増加する場合がある。
輸送管３の内径ｄは、急結剤の輸送量によって適宜決定することが可能であるが、通常、10〜30mmとすることが好ましい。内径ｄが10mm未満では急結剤が輸送管３内へ流れ込みにくくなるばかりか、管内の摩擦抵抗が増大することにより閉塞が生じやすくなる場合があり、30mmを超えると急結剤の輸送量が吹付け用のセメントコンクリートに比べ多くなり急結剤の輸送量の調整が困難となる場合がある。
【００１９】
本発明では、タンク１の下部に急結剤輸送用加圧エア供給管８を接続する。
急結剤輸送用加圧エア供給管８の取付位置はキャンバス２より下であれば、特に制限されるものではない。
【００２０】
本発明の急結剤供給装置の急結剤供給部は、急結剤供給口４、急結剤供給バルブ９、ホッパー１０、及び急結剤収容口１１からなる。
【００２１】
急結剤供給バルブ９は、特に制限されるものではなく、通常、バタフライバルブが使用される。
【００２２】
急結剤収容口１１は、急結剤を収納し、その下部を締め付け治具１２で緊縛したフレキシブルコンテナバッグ５を接続し固定するところである。
急結剤収容口１１の径は、フレコンの排出口より小さくすることが好ましい。
【００２３】
さらに、本発明では、加圧エア排出口６と加圧エア排出バルブ７を介してタンク１内に供給された加圧エアを排出する加圧エア排出部を設ける。
加圧エア排出口６は、タンク１の上部に設けられていれば、特に限定されるものではない。
加圧エアは加圧エア排出口６、加圧エア排出バルブ７を通過し、粉塵が濾布で除去された後排出される。
【００２４】
本発明の急結剤の供給装置には、必要に応じタンク１に振動装置や打撃装置を取り付けることが可能である。
排出性の悪い急結剤を輸送しようとすると、輸送管３の外周近傍の急結剤のみが排出され、輸送管３内を加圧エアだけが流れ急結剤の輸送ができない場合がある。このような場合、振動装置や打撃装置を利用することで、タンク１内の急結剤を平滑な状態にして輸送管３の吸い込み口に急結剤を導くことにより安定して急結剤を輸送することが可能となる。
【００２５】
次に、フレキシブルコンテナバッグ５に収納された急結剤を本発明の急結剤供給装置に供給する方法について説明する。
【００２６】
急結剤を収納し、その下部の取出し口を締め付け治具１２で閉じたフレキシブルコンテナバッグ５を、例えば、小型移動式クレーンなどの吊り装置で吊り上げた後、急結剤供給装置の急結剤供給部の急結剤収容口１１上方に固定し、フレキシブルコンテナバッグ５下部の取出し部の周縁部を急結剤収容口１１に被せ、フレキシブルコンテナバッグ５の取付治具１３により、フレキシブルコンテナバッグ５下部の取出し部の周縁部を全周にわたって急結剤収容口１１に密着させる。
【００２７】
本発明で使用するフレキシブルコンテナバッグ５の材料としては、気密が保たれ、搬送に耐えうる強度を有するものであれば特に限定されるものではないが、外部から水分を吸い込んで急結剤を吸湿することがなく、急結剤を劣化させることなく、長期にわたり貯蔵性を安定に保つことが可能である面で、塩ビ、ＥＶＡ、及びゴムより選ばれる一種又は二種以上の材料の使用が好ましい。
【００２８】
フレキシブルコンテナバッグ５の移動は輸送手段で輸送された後、例えば、移動式クレーンなどの吊り装置で吊り上げて移動し、本発明の急結剤供給装置上に固定することが可能である。
【００２９】
フレキシブルコンテナバッグ５の下部は、収納した急結剤が落下することがないよう、また、外気の湿気により急結剤が変質しないよう締め付け治具１２によって緊縛する。
【００３０】
フレキシブルコンテナバッグ５の下部の締め付け治具１２は、フレキシブルコンテナバッグ５下部の取出し口より、収納した急結剤が落下しないように緊縛でき、取り外しも容易であれば特に制限されるものではないが、例えば、紐、テープ、及びバンドなどが使用可能である。
【００３１】
また、フレキシブルコンテナバッグ５下部取出し口周縁部を、その取出し口周縁部を全周にわたり、急結剤収容口１１に密着させるフレキシブルコンテナバッグ５の取付治具１３としては、クランプ装置やゴムバンドなどが挙げられ、図２に示すクランプ装置が気密性や作業性等から好ましい。
【００３２】
ここで、クランプ装置としては、ヘルールやドラム缶バンド、ペール缶バンドなどが使用可能である。
【００３３】
図２に示すクランプ装置はヘルールで固定する場合の固定方法の一例である。ヘルールを使用する場合、ホッパー１０の上端の急結剤収容口１１はヘルールフランジとなっており、それと同じ外径の押え板が使用される。
この押え板はリング状となっておりその内径はホッパー１０の内径と同じか、より小さくなっていることが好ましい。
まず、フレキシブルコンテナバッグ５の下部の急結剤取出し部の周縁に押え板を通した後、急結剤取出し部の周縁を急結剤収容口１１に被せ、押え板と急結剤収容口１１で急結剤取出し部の周縁を挟み込む。
その後、クランプ装置で押え板と急結剤収容口１１を気密に固定する。
これにより、フレキシブルコンテナバッグ５内の急結剤を、粉塵を発生させることなくタンク１内へ供給することが可能となる。
【００３４】
フレキシブルコンテナバッグ５の下部の締め付け治具１２を緩め、急結剤供給バルブ９を開けてフレキシブルコンテナバッグ５中に収納された急結剤をタンク１の内部へ供給する。
この際、排出部の加圧エア排出バルブ７を開けておくとフレキシブルコンテナバッグ５からの急結剤の供給が容易となる。
【００３５】
さらに、急結剤供給バルブ９と急結剤収容口１１の間に加圧エアを導入する急結剤供給用加圧エア供給管１４を取り付けることは、フレキシブルコンテナバッグ５からの急結剤の供給が容易となる面から好ましい。
【００３６】
例えば、加圧エア供給時は、急結剤供給バルブ９を閉とし、フレキシブルコンテナバッグ５を膨らませ、加圧エア停止時は、急結剤供給バルブ９を開とする。この際、急結剤は流動化して、ホッパー１０を通過しタンク１内へ落下し、フレキシブルコンテナバッグ５は収縮する。
フレキシブルコンテナバッグ５が収縮すると急結剤供給用加圧エア供給管１４より加圧エアが供給され、フレキシブルコンテナバッグ５内へ流れ込み、フレキシブルコンテナバッグ５を膨らませる。
このように、急結剤供給用加圧エア供給管１４からの加圧エアを間歇的に供給し、これに急結剤供給バルブ９が連動して開閉することで、フレキシブルコンテナバッグ５は膨らませたり収縮させたりを繰り返し、フレキシブルコンテナバッグ５内部の急結剤は全てタンク１内へ供給される。
【００３７】
加圧エアをホッパー１０に間歇的に供給する方法としては、加圧エアの供給バルブ２１を間歇的に開閉すれば良いが、開閉動作をタイマーにより容易に制御することが可能である。加圧エアの流量はバルブ１８で調整する。
【００３８】
本発明で使用する加圧エアは除湿した加圧エアが好ましく、圧力50KPa以下で供給することが好ましい。50KPaを超えると、フレキシブルコンテナバッグ５の耐久性が低下したり、極端に圧力が大きくなるとフレキシブルコンテナバッグ５が破裂する場合がある。
【００３９】
フレキシブルコンテナバッグ５からの急結剤の供給が完了したら、急結剤供給バルブ９と加圧エア排出バルブ７を閉じる。
【００４０】
次に、タンク１に供給された急結剤の輸送方法について説明する。
【００４１】
タンク１の下部に接続する急結剤輸送用加圧エア供給管８より、タンク１のキャンバス２の下方に加圧エアを供給し、輸送管３より輸送する。
【００４２】
急結剤輸送用加圧エア供給管８より加圧エアを供給すると、タンク１の下部より供給された加圧エアはキャンバス２を通過し、タンク１内を加圧する。
ここで、急結剤輸送バルブ１９を開けると、タンク１内の急結剤は加圧エアとともに輸送管３内を輸送され、急結剤輸送バルブ１９を介し、加圧エア合流管２０へ送られる。
【００４３】
本発明では、急結剤の輸送量を調整できる面から、急結剤流量調整機構として、加圧エアの流量を調整するバルブ１６、１７、及び急結剤輸送用加圧エア供給管８より供給する加圧エアとは別に加圧エアのバイパス経路を設け、輸送管３より輸送された急結剤と加圧エア合流管２０で合流させることが好ましい。急結剤は加圧エア合流管２０において、加圧エアバイパス管１５より送られるバイパス加圧エアと合流し、加速されて輸送される。
【００４４】
ここで、急結剤の吐出量は、タンク１内へ供給する加圧エアの圧力と加圧エアバイパス管１５への加圧エアの供給量を調整すること、バルブ１６と１７で加圧エアの流量を調整すること、及び輸送管３の管径や加圧エア合流管２０以降の輸送管３の管径や長さを調整することで容易に調整することが可能である。
【００４５】
輸送管３や加圧エア合流管２０以降の輸送管３の管径は、管径が大きいほど輸送する急結剤の量を大きくすることが可能である。
また、加圧エア合流管２０以降の輸送管３の長さは短いほど急結剤の輸送量を大きくすることが可能である。
また、タンク１へ供給する加圧エアの圧力を高くすると、急結剤の輸送量を大きくすることが可能である。
そして、加圧エアバイパス管１５に流す加圧エアの量を大きくすると急結剤の輸送量は小さくなり、逆に、加圧エアバイパス管１５に流す加圧エアの量を小さくすると急結剤の輸送量を大きくすることが可能である。
【００４６】
タンク１や加圧バイパス管１５へ供給する加圧エアは、ドレンセパレータやオートドレントラップを通過させ、ドレンを充分除去したものを使用するのが好ましい。
加圧エア中にドレンを含むとドレンが急結剤に接触し、キャンバス２の目詰まりを起こしたり、輸送管３、急結剤輸送バルブ１９、加圧エア合流管２０、及び加圧エア合流管２０以降の輸送管３などを閉塞したり、あるいは、これらの管壁に急結剤が付着して輸送量が変化するなどの問題を生ずる場合がある。
さらに、ドレンセパレータの出口に冷凍式あるいは吸着式エアドライヤを接続し、さらに加圧エア中のドレンを強制的に除去した後、加圧エアを供給することが好ましい。ドレン除去後の加圧エアの露点は、大気圧下で-10℃以下であるのが好ましい。
【００４７】
本発明において、輸送する急結剤の質量と加圧エア質量の比、いわゆる輸送中の粉粒体の濃度を示す混合比は、0.3〜15に調整されることが好ましい。混合比が0.3未満では空気量が多くなり流速が速くなるため、吹付けた吹付けセメントコンクリートが壁面に到達した際、衝撃力が大きくなりすぎ、吹付けセメントコンクリートが、リバウンドして壁面に付着せず落下する量が増大する場合がある。逆に、混合比が15を超えると空気量が少なく、脈動したり、急結剤が輸送管３壁面に付着しやすくなり閉塞する場合がある。混合比がこの範囲内であれば、急結剤は輸送配管内を分散して飛散し輸送管３内で脈動を生じることもなく、吹付けセメントコンクリートと安定した混合が可能であり、流速が適度に保たれ良好な吹付けができる。
この混合比は、減圧弁と流量調整弁で容易に調整可能である。
なお、混合比Γは、下式により与えられる。
混合比Γ＝急結剤輸送量(kg/min)／輸送空気量(kg/min)
【００４８】
セメントコンクリートは、セメント、骨材、及び水等を混合・混練し、コンクリートポンプなどにより輸送し、例えば、Ｙ字管等で、別途圧送された急結剤と合流混合し、吹付け施工する。
【００４９】
また、本発明の急結剤供給装置により、従来、紙袋で供給されていた急結剤の供給がフレキシブルコンテナバッグ５により行える。
【００５０】
急結剤としては特に制限されるものではないが、例えば、カルシウムアルミネート類、アルミン酸ナトリウムや硫酸アルミニウムなどのアルミニウム塩、及びアルカリ炭酸塩等の一種又は二種以上が挙げられる。
【００５１】
【実施例】
以下、実験例に基づき本発明を詳細に説明する。
【００５２】
実験例１
図１に示す急結剤供給装置のタンク１に、フレキシブルコンテナバッグ５に収納した急結剤を供給する。
ホッパー１０の上端の急結剤収容口１１に、急結剤を収納してその下部を締め付け治具１２で緊縛したフレキシブルコンテナバッグ５を接続して、フレキシブルコンテナバッグ５の取付治具１３で固定する。
フレキシブルコンテナバッグ５の下部の締め付け治具１２を緩め、急結剤供給バルブ９を開けてフレキシブルコンテナバッグ５中に収納された急結剤をタンク１の内部へ供給する。
急結剤供給部のホッパー１０下部に設置した急結剤供給用加圧エア供給管１４を介して、ホッパー１０に、減圧弁で圧力を40KPaに調整した加圧エアを１分間供給−30秒間停止の条件で間歇的に供給した。
供給完了後、フレキシブルコンテナバッグ５内に残った急結剤の量を測定した。結果を表１に示す。
【００５３】
【表１】
0004014414.tif 000002
【００５４】
実験例２
図１に示す急結剤供給設備のタンク１に急結剤を供給し、コンプレッサにより0.7MPaに加圧したエアを減圧弁とバルブ１７によりバイパスエア量を調整して供給し、急結剤の輸送量を測定した。
急結剤輸送用加圧エア供給管８へ供給する加圧エアの圧力や流量は市販の圧力計と流量計を用い測定した。加圧エアの圧力や流量、バイパスエアの圧力や流量を表２に示す。
急結剤の輸送量は、輸送管３出口に濾布を取り付け急結剤を回収した後その質量を測定した。
なお、輸送管３には、内径27.6mmの25Ａ鋼管を使用し、輸送管３の吸い込み口とキャンバス２の間隔Ｌを20mmとした。
さらに、輸送する急結剤の質量と加圧エアの質量の比である混合比を算出した。
また、この条件で吹付け試験を行い良好な吹付けができたものを○、良好な吹付けができなかったものを×とした。結果を急結剤の輸送量と混合比と共に表２に併記する。
【００５５】
【表２】
0004014414.tif 000003
【００５６】
実験例３
図１に示す急結剤供給設備を使用し、加圧エアの圧力0.4MPa、流量0.8Nm3/min、バイパス加圧エアの圧力0.7MPa、及び流量1.0Nm3/minとし、連続して急結剤を輸送し１分間毎の急結剤の質量を測定し安定性を確認した。結果を表３に示す。また、急結剤の輸送管３の状態と出口より排出される急結剤の状態を目視で観察したところ、急結剤の輸送管３に脈動による揺れは観察されず、急結剤の排出も連続したものであった。
なお、比較のため、従来のロータリーフィーダーを用いた急結剤供給装置について同様の目視観察を行ったところ、ロータリーフィーダーの下方に位置し、ロータリーフィーダーから落下する急結剤を加圧エアで輸送する、従来の急結剤供給装置の急結剤輸送管には断続的な揺れが認められ、しかも、急結剤の排出も断続したものであった。
【００５７】
【表３】
0004014414.tif 000004
【００５８】
実験例４
実験例２実験No.2- 3の条件で使用した設備の輸送管３吸い込み口とキャンバス２の隙間Ｌと輸送管３の内径ｄとの比Ｌ／ｄを表４に示すように変え、急結剤の輸送量を測定したこと以外は実験例２と同様に試験をおこなった。結果を表４に併記する。
【００５９】
【表４】
0004014414.tif 000005
【００６０】
【発明の効果】
以上、説明したように、本発明の急結剤の供給装置を使用することで、必要量急結剤を定常的に輸送することができ、また、発塵なくフレキシブルコンテナバッグからの急結剤の供給が可能となるため、労力の軽減や環境改善が図れるなどの効果を奏する。
【図面の簡単な説明】
【図１】図１は本発明に係わる急結剤の供給装置の一例を示す説明図である。
【図２】図２は本発明に係わるクランプ装置の一例を示す説明図である。
【符号の説明】
１    タンク
２    キャンバス
３    輸送管
４    急結剤供給口
５    フレキシブルコンテナバッグ
６    加圧エア排出口
７    加圧エア排出バルブ
８    急結剤輸送用加圧エア供給管
９    急結剤供給バルブ
１０  ホッパー
１１  急結剤収容口
１２  締め付け治具
１３  取付治具
１４  急結剤供給用加圧エア供給管
１５  加圧エアバイパス管
１６  バルブ
１７  バルブ
１８  バルブ
１９  急結剤輸送バルブ
２０  加圧エア合流管
２１  バルブ
【図１】
0004014414.tif 000006
【図２】
0004014414.tif 000007